(57)【要約】【課題】  この発明は，差込みコネクタと受け口コネクタとの間のコネクタ接触部にフッ素油をコーティングして回線速度をアップさせるモジューラジャックを提供する。【解決手段】このモジューラジャックは，電気機器に設けられ，差込みコネクタ１及び／又は受け口コネクタ２とのコネクタ接触部３及び／又はその近傍２０に，フッ素油６をフリーマーカ５で容易に，確実に適正量だけコーティングし，コネクタ接触部３での接続状態を良好にし，回線速度をアップさせる。【選択図】図１
2006059564.tif 000002
【特許請求の範囲】
【請求項１】
差込みコネクタを受け口コネクタに接続して電気的に導通させる電気的接続部を備えた電気機器において，前記差込みコネクタと前記受け口コネクタとのコネクタ接触部と該コネクタ接触部近傍との塗布面に，回線速度をアップさせるためフッ素油が塗布手段によってコーティングされていることを特徴とするモジューラジャック。
【請求項２】
前記フッ素油は，パーフルオロポリエーテル油であることを特徴とする請求項１に記載のモジューラジャック。
【請求項３】
請求項１又は２に記載の前記モジューラジャックに適用され，差込みコネクタと受け口コネクタとを電気的に導通させるコネクタ接触部と該コネクタ接触部近傍との塗布面にフッ素油をコーティングする塗布手段を構成することを特徴とするフリーマーカ。
【請求項４】
前記フッ素油を充填すると共にグリップ部を構成する軸筒，前記軸筒の一端に取り付けられ且つ前記フッ素油を前記塗布面にコーティングするペン体，前記軸筒の他端に形成された前記フッ素油を充填する開口部を閉鎖する尾栓，及び前記ペン体を前記軸筒に保持するホルダを有することを特徴とする請求項３に記載のフリーマーカ。
【請求項５】
前記フッ素油を充填すると共にグリップ部を構成する軸筒，前記軸筒の両端に取付け取外し可能にそれぞれ取り付けられ且つ塗布のため前記フッ素油を前記塗布面にコーティングするペン体，及び前記ペン体を前記軸筒に保持するホルダを有することを特徴とする請求項３に記載のフリーマーカ。
【請求項６】
グリップ部を構成する軸筒，前記軸筒内に収容され且つ前記フッ素油を充填できるカートリッジ，前記カートリッジに連結して前記軸筒の両端に取付け取外し可能にそれぞれ取り付けられ且つ前記フッ素油を前記塗布面にコーティングするペン体，及び前記ペン体と前記カートリッジとを前記軸筒に保持するホルダを有することを特徴とする請求項３に記載のフリーマーカ。
【請求項７】
前記ペン体を覆って保護し且つ前記軸筒に取り付けられるキャップを有することを特徴とする請求項４〜６のいずれか１項に記載のフリーマーカ。
【請求項８】
前記ペン体は，毛筆タイプ，丸形先細タイプ，又は平形先細タイプのペン先に形成されていることを特徴とする請求項４〜７のいずれか１項に記載のフリーマーカ。
【発明の詳細な説明】
【技術分野】
【０００１】
この発明は，電気機器において，差込みコネクタを受け口コネクタに電気的に接続して両者を導通させるモジューラジャック及び該モジューラジャックへの塗布に適用されるフリーマーカに関する。
【背景技術】
【０００２】
近年，パソコン，コンピュータ等の電気機器に組み込まれており，差込みコネクタを受け口コネクタに電気的に接続して両者を導通させる電気器具であるモジューラジャックについては，急速な進歩を遂げており，各種の形状や構造を持つものが多数開発されている。また，各種の塗布面に対してインク等を筆記したり塗布するマーカ等の筆記具についても，近年，各種の構造を持つものが種々市販されている。
【０００３】
また，フッ素系グリース組成物として，グリース成分中からの油分の離油，離漿をなくし，潤滑に供する部分のみに油分が存在し，その他の部分には流出しない非拡散性に優れたものが知られている。該非拡散性フッ素系グリース組成物は，フッ素系グリースに各種シリコーン油を０．１〜５０％混合して成るものである。該フッ素系グリースにおけるフッ素油としてはパーフルオロポリエーテル油を使用している（例えば，特許文献１参照）。
【０００４】
従来，フッ素油であるパーフルオロポリエーテルの製造方法及びその使用方法は知られている。該パーフルオロポリエーテルは，ラジカルが１個のラジカル当たり少なくとも３個の炭素原子を有し，実質的にパーフルオロメチル及びパーフルオロエチル末端基を含まないパーフルオロアルキルラジカル末端基，又はパーフルオロポリエーテルの第一級の位置に少なくとも１個の臭素又はヨウ素原子を含んでおり，グリース又は潤滑剤の熱安定性を改善したものである（例えば，特許文献２参照）。
【０００５】
また，摺動スイッチは，絶縁体及び固定接点から成る固定子の摺動面上を可動接点が摺動して，可動接点と固定接点を接離させるものであり，固定子の摺動面と可動接点の摺動面に，相互に混ざり合わない別種の潤滑油又は潤滑グリースを塗布している。潤滑剤として，撥水撥油性であって高温で炭化し難い特殊フッ素を基油としてグリースを用いる一方，固定接点等の固定子側に塗布する潤滑剤として炭化水素合成油又は鉱油を基油とするグリースを用いている（例えば，特許文献３参照）。
【０００６】
また，水性サインペンとして，筆記用，アンダーライン用，マーキング用，ボード用，筆ペン用として利用可能な消しゴム消去性に優れ，繊維芯又はプラスチック芯からなるペン先の目詰まりもなく，優れた消しゴム消去性能を有するものが知られている（例えば，特許文献４参照）。
【特許文献１】特開２０００−１０９８７４号公報（第１〜３頁）
【特許文献２】特表２００４−５０４４２８号公報（第１頁）
【特許文献３】特開昭６３−４８７１２号公報（第１頁）
【特許文献４】特開２００３−２６８２８５号公報（第１，２頁，図１〜３）
【発明の開示】
【発明が解決しようとする課題】
【０００７】
ところで，各種の電気器具におけるモジューラジャックについては，回線速度を上げることが，各種の情報を処理する処理能力をアップさせることになる。しかしながら，モジューラジャックの差込みコネクタと受け口コネクタとのコネクタ接触部の状態は，ミクロ的に見れば，双方のコネクタ接触面は凹凸形状になっているのが一般的であり，該コネクタ接触面の好ましくない状態を克服するため，そのコネクタ接触面を研いているのが現状であり，また，その作業にも限界がある。また，電気器具におけるモジューラジャックについて，差込みコネクタと受け口コネクタとのコネクタ接触部における接触面の状態で回線速度が大きく違ってくるので，差込みコネクタと受け口コネクタとの接触状態を如何なる状態に維持すれば，回線速度をアップさせることができるかの課題があった。
【０００８】
この発明の目的は，上記の課題を解決するため，従来の水性サインペンと同等のフリーマーカを塗布手段として，差込みコネクタと受け口コネクタとを電気的に接続するコネクタ接触部及び該コネクタ接触部近傍に，回線速度をアップさせるため塗布手段によってフッ素油をコーティングされているモジューラジャックを提供すると共に，該モジューラジャックに適正量のフッ素油を簡単に且つ確実にコーティングすることができるフリーマーカを提供することである。
【課題を解決するための手段】
【０００９】
この発明は，差込みコネクタを受け口コネクタに接続して電気的に導通させる電気的接続部を備えた電気機器において，前記差込みコネクタと前記受け口コネクタとのコネクタ接触部と該コネクタ接触部近傍との塗布面に，回線速度をアップさせるためフッ素油が塗布手段によってコーティングされていることを特徴とするモジューラジャックに関する。  
【００１０】
このモジューラジャックにおいて，前記フッ素油は，パーフルオロポリエーテル油であることを特徴とする。
【００１１】
また，この発明は，前記モジューラジャックに適用され，差込みコネクタと受け口コネクタとを電気的に導通させるコネクタ接触部と該コネクタ接触部近傍との塗布面にフッ素油をコーティングする塗布手段を構成することを特徴とするフリーマーカに関する。
【００１２】
このフリーマーカは，前記フッ素油を充填すると共にグリップ部を構成する軸筒，前記軸筒の一端に取り付けられ且つ前記フッ素油を前記塗布面にコーティングするペン体，前記軸筒の他端に形成された前記フッ素油を充填する開口部を閉鎖する尾栓，及び前記ペン体を前記軸筒に保持するホルダを有するものである。
【００１３】
また，このフリーマーカは，前記フッ素油を充填すると共にグリップ部を構成する軸筒，前記軸筒の両端に取付け取外し可能にそれぞれ取り付けられ且つ塗布のため前記フッ素油を前記塗布面にコーティングするペン体，及び前記ペン体を前記軸筒に保持するホルダを有するものである。
【００１４】
また，このフリーマーカは，グリップ部を構成する軸筒，前記軸筒内に収容され且つ前記フッ素油を充填できるカートリッジ，前記カートリッジに連結して前記軸筒の両端に取付け取外し可能にそれぞれ取り付けられ且つ前記フッ素油を前記塗布面にコーティングするペン体，及び前記ペン体と前記カートリッジとを前記軸筒に保持するホルダを有するものである。
【００１５】
また，このフリーマーカは，前記ペン体を覆って保護し且つ前記軸筒に取り付けられるキャップを有するものである。
【００１６】
また，このフリーマーカにおいて，前記ペン体は，毛筆タイプ，丸形先細タイプ，又は平形先細タイプのペン先に形成されているものである。
【発明の効果】
【００１７】
この発明によるモジューラジャックは，上記のように，コネクタ接触部及びその近傍にフッ素油がコーティングされているので，そこでフッ素油が絶縁物として機能し，コネクタ接続部で一種の栓即ちガイドの役割をし，コネクタ接触部の外部への漏電を防止し，差込みコネクタと受け口コネクタとの間で電子の流れをスムーズに効率良く達成し，通電方向に関して隙間が狭いことになり，フッ素油による電子のトンネル効果で両者間を電子が通過し，回線速度をアップすることができる。
【００１８】
また，この発明によるフリーマーカは，上記のように構成されているので，前記モジューラジャックのコネクタ接触部とその近傍の塗布面に対してフッ素油を容易に，確実にコーティングすることができ，しかもフッ素油の適正量をコネクタ接触部とその近傍の塗布面にコーティングすることができる。
【発明を実施するための最良の形態】
【００１９】
この発明は，一方のジャックを構成する差込みコネクタ１と他方のジャックを構成する受け口コネクタ２とを電気的接続部を備えた電気機器に設けられた電気器具を構成するモジューラジャックに関し，更に，このモジューラジャックの塗布面へのフッ素油のコーティングに適用して好ましいフリーマーカに関するものである。
【００２０】
このモジューラジャックは，差込みコネクタ１を受け口コネクタ２に電気的に接続し，両者間を通電させる電気的接続部を備えた電気機器に設けられたおり，差込みコネクタ１と受け口コネクタ２とのコネクタ接触部３とコネクタ接触部近傍２０との塗布面４に，回線速度をアップさせるため，フリーマーカ５等の塗布手段によってフッ素油６がコーティングされていることを特徴とするものである。フッ素油６は絶縁材であるので，モジューラジャックの塗布面４には，適正量のフッ素油６をコーティングすることが肝要であり，塗布面４に余り多量のフッ素油６を塗布すると，回線速度をアップさせることができず，逆効果になる。
【００２１】
ベースとなるフッ素油６は，一般式（１），一般式（２）又は一般式（３）で示される化合物からなる群から選択されたパーフルオロポリエーテル油である。また，パーフルオロポリエーテル油を２種以上混合して使用してもよいものであり，場合によっては，通電の回線速度の阻害にならない各種の性状を持たせるため，適正な各種の添加剤を配合してもよいものである。
一般式（１）：
ＣＦ3 −〔（Ｏ−ＣＦ2 −ＣＦ2 ）ｍ−（Ｏ−ＣＦ2 ）ｎ〕−Ｏ−ＣＦ3 
一般式（２）：
ＣＦ3 −〔（Ｏ−ＣＦＣＦ3 −ＣＦ2 ）ｐ−（Ｏ−ＣＦ2 ）ｑ〕−Ｏ−ＣＦ3 
一般式（３）：
Ｆ−（ＣＦＣＦ3 −ＣＦ2 −Ｏ）ｒ−ＣＦ2 ＣＦ3 
但し，ｍ，ｎ，ｐ，ｑ，ｒは整数を表す。
【００２２】
このモジューラジャックにおいて，フッ素油６をコーティングするのに使用される塗布手段は，一方のジャックを構成する差込みコネクタ１と他方のジャックを構成する受け口コネクタ２とにおけるコネクタ接触部３とコネクタ接触部近傍２０との塗布面４に，フッ素油６を回線速度をアップするのに適正な量だけ，容易に，確実にコーティングすることができるフリーマーカ５であり，フリーマーカ５は，フッ素油６を塗布面４に人手でコーティングすることができる。フリーマーカ５のペン先を構成するペン体８は，毛筆タイプ１７，丸形先細タイプ１８，又は平形先細タイプ１９等の各種の形状のペン先を使用でき，フッ素油６がそれぞれ塗布される塗布面４の形状，塗布量等の条件に応じて使い分けして選定すればよいものである。図３〜図７には，各種のフリーマーカ５が示されており，各図において，同一の機能を有する部品及び部材には同一の符号を付し，重複する説明を省略している。
【００２３】
フリーマーカ５は，第１実施例として，図３及び図４に示すように，フッ素油６を充填すると共に，グリップ部１２を構成する軸筒７，軸筒７の一端１３に取り付けられ且つフッ素油６を塗布面４に塗布するペン体８，軸筒７の他端１４に形成されたフッ素油６を充填する開口部１５を閉鎖する尾栓９，及びペン体８を軸筒７に保持するホルダ１０を有している。図３には，フリーマーカ５は，ペン体８を覆って保護するための軸筒７に取り付けられるキャップ１１を有している。図４には，図３に示すフリーマーカ５からキャップ１１を取り外した状態が示されている。フリーマーカ５のペン体８には，フッ素油６をスムーズにペン先へ供給すると共にペン体８の剛性を確保するためのペン芯体２１が取り付けられている。ペン体８とペン芯体２１とは，ホルダ１０に安定して軸筒７に支持されている。ホルダ１０の外周面にはねじが形成され，軸筒７の内周面には雌ねじが形成されているので，ホルダ１０の雄ねじを軸筒７の雌ねじに螺入して，ホルダ１０が軸筒７に取付け取外し可能に螺入して取り付けられている。また，軸筒７の他端１４には，軸筒７自体を安定した形状に保持すると共にフッ素油６の軸筒７からの漏れを防止するための栓体２３が嵌入されている。図３及び図４には，フリーマーカ５のペン体８は，ペン先が平形先細タイプ１９が取り付けられているが，その他のタイプのペン先を取り付けることもできる。
【００２４】
フリーマーカ５は，第２実施例として，図５に示すように，フッ素油６を充填すると共にグリップ部１２を構成する軸筒７，軸筒７の一端１３に取り付けられ且つフッ素油６を塗布面４に塗布するペン体８，軸筒７の他端１４に形成されたフッ素油６を充填する開口部１５を閉鎖する尾栓９，及びペン体８を軸筒７に保持するホルダ１０を有するものである。ペン体８には，ペン芯体２１が取り付けられている。ペン体８は，ホルダ１０によって支持され，また，ペン芯体２１は，ホルダ２２に支持されている。ホルダ２２には，軸筒７に形成されたフッ素油６の貯留室２８から貯留室２９へフッ素油６を通過させる通孔２４及びペン芯体２１を保持するための支持孔２５が形成されている。ホルダ１０の外周面にはねじが形成され，軸筒７の内周面には雌ねじが形成されているので，ホルダ１０の雄ねじを軸筒７の雌ねじに螺入して，ホルダ１０が軸筒７に取付け取外し可能に螺入して取り付けられる。また，軸筒７の他端１４には，軸筒７自体を安定した形状に保持すると共に，フッ素油６の軸筒７からの漏れを防止するための栓体２３が嵌入されている。図５に示すフリーマーカ５のペン体８は，ペン先が丸形先細タイプ１８が取り付けられているが，その他のタイプのペン先を取り付けることもできる。図５に示すフリーマーカ５は，ペン体８を保護するため軸筒７に取り付けるキャップを設けてもよいものである。
【００２５】
フリーマーカ５は，第３実施例として，図６に示すように，フッ素油６を充填すると共にグリップ部１２を構成する軸筒７，軸筒７の一端１３に取り付けられ且つフッ素油６を塗布面４に塗布するペン体８，軸筒７の他端１４に形成されたフッ素油６を充填する開口部１５を閉鎖する尾栓９，及びペン体８を軸筒７に保持するホルダ１０，２６を有するものである。ペン体８には，ペン芯体２１がホルダ２６を介して取り付けられている。ペン体８に取り付けたホルダ２６はホルダ１０に嵌合固定され，また，ペン芯体２１はホルダ２２によって軸筒７に支持されている。ホルダ２２にはフッ素油６を通過させる通孔２４及びペン芯体２１を保持する支持孔２５が形成されている。ホルダ１０は，ホルダ１０の雄ねじを軸筒７の雌ねじに螺入して，軸筒７に取付け取外し可能に螺入して取り付けられる。また，軸筒７の他端１４には，軸筒７自体を安定した形状に保持すると共に，フッ素油６の軸筒７からの漏れを防止するための栓体２３が嵌入されている。図６に示すフリーマーカ５のペン体８は，ペン先が径の小さい丸形先細タイプ１８に形成されている。フリーマーカ５のペン体８は，ペン先が丸形先細タイプ１８に限らず，その他のタイプのペン先を取り付けることもできる。図６に示すフリーマーカ５は，ペン体８を保護するため軸筒７に取り付けるキャップを設けてもよいものである。
【００２６】
また，フリーマーカ５は，図７に示すように，フッ素油６を充填すると共にグリップ部１２を構成する軸筒７，軸筒７の両端１３，１４に取付け取外し可能にそれぞれ取り付けられ且つフッ素油６を塗布面４に塗布するペン体８，及びペン体８を軸筒７に保持するホルダ１０を有するものである。図７では，ペン体８は，一方のペン先が平形先細タイプ１９であり，他方のペン先が毛筆タイプ１７である。また，フリーマーカ５は，グリップ部１２を構成する軸筒７内には，フッ素油６を充填したカートリッジ１６が装填されている。カートリッジ１６は，軸筒７の一端１３ではホルダ１０によって支持され，また，軸筒７の他端１４では軸筒７の内周面に形成されたホルダ部２７によって支持されている。また，一方のカートリッジ１６には，ペン先が径の小さい平形先細タイプ１９が取り付けられており，他方のカートリッジ１６には，ペン先が毛筆タイプ１７のペン体８が取り付けられている。図７に示すフリーマーカ５のペン体８は，ペン先が径の小さい平形先細タイプ１９と毛筆タイプ１７に形成されているが，それに限らず，その他のタイプのペン先を取り付けることもできる。また，図７に示すフリーマーカ５は，両方のペン体８を保護するため軸筒７に取り付けるキャップを設けてもよいものである。
【００２７】
この発明によるモジューラジャックは，上記のように構成されているので，図２の（Ａ）に示すように，フッ素油６が絶縁物として機能し，コネクタ接触部３及びコネクタ接触部近傍２０において栓の役割をし，外部への漏電を防止し，差込みコネクタ１と受け口コネクタ２との間で効率良く電子の流れを可能にし，通電方向に関して隙間が狭いことになり，フッ素油６による電子のトンネル効果で両者間を通過し，回線速度をアップすると考えられる。また，図２の（Ｂ）に示す従来のモジューラジャックについては，コネクタ接触部３及びその近傍２０にフッ素油６をコーティングしていない場合には，電子そのものの通りは良好であるが，電子が外部にも漏れ易い状態になっており，例えば，隣接する部品表面に空気中の水分が付着したり，温度差による露結が発生している場合には，漏電し易い状態になっており，結果的に情報伝達量が少なくなり，回線速度を低下させる現象が発生すると考えられる。
【００２８】
このモジューラジャックについて，フッ素油６をＬＡＮケーブルに塗布した場合における回線速度を測定したところ，次の結果を得た。
（１）ＬＡＮケーブルに対してフッ素油６をコーティングしなかった場合。
測定サイト：http://www.bspeedtest.jp/v2.3.3 
回線種類／栓路長／ＯＳ：ＦＴＴＨ／−／Ｗｉｎｄｏｗｓ２０００（登録商標）
キャリア／ＩＳＰ／地域：ＮＴＴＢフレッツ  ベーシック／その他／千葉県
ホスト１：ＷｅｂＡｒｅｎａ（ＮＴＴＰＣ） 52.3 Ｍｂｐｓ（16870 ｋＢ，2.8 秒）
ホスト２：ＳＡＫＵＲＡインターネット   58.6 Ｍｂｐｓ（16870 ｋＢ，2.4 秒）
推定最大スループット：  ５８．６Ｍｂｐｓ
（２）ＬＡＮケーブルにおける回線終端装置，ルータ，パソコンに対してフッ素油６をフリーマーカ５でコーティングした場合。
測定サイト：http://www.bspeedtest.jp/v2.3.3 
回線種類／栓路長／ＯＳ：ＦＴＴＨ／−／Ｗｉｎｄｏｗｓ２０００（登録商標）
キャリア／ＩＳＰ／地域：ＮＴＴＢフレッツ  ベーシック／その他／千葉県
ホスト１：ＷｅｂＡｒｅｎａ（ＮＴＴＰＣ） 56.0 Ｍｂｐｓ（16870 ｋＢ，2.6 秒）
ホスト２：ＳＡＫＵＲＡインターネット   66.0 Ｍｂｐｓ（16870 ｋＢ，2.1 秒）
推定最大スループット：  ６６．０Ｍｂｐｓ
【００２９】
測定結果は，上記のとおりであり，                                                測定サイト：http://www.bspeedtest.jp/v2.3.3 によって計測すると，ホスト１及びホスト２共に回線速度がアップされたことが確認された。
即ち，ホスト１：ＷｅｂＡｒｅｎａの場合， 52.3 Ｍｂｐｓが 56.0 Ｍｂｐｓにアップし，ホスト２：ＳＡＫＵＲＡインターネットの場合， 58.6 Ｍｂｐｓが 66.0 Ｍｂｐｓにアップしたことが分かり，１割程度の回線速度のアップが確認できた。
【００３０】
また，メモリの差込み部のモジューラジャックに，フッ素油６をコーティングした場合，回線速度は次のとおりであった。
HDBENCH Ver 3.40 beta 6 を使用してメモリの読み書きを行う
（http://www.hdbench.net/ ）
１．メモリＲは，フッ素油６の塗布前は１７３４６４であり，塗布後は１７２７４８であり，ほとんど変化がなかった。
２．メモリＷは，フッ素油６の塗布前は６５４３３であり，塗布後は６６１５５であり，アップしたことが分かった。
３．メモリＲＷは，フッ素油６の塗布前は１２８６１３であり，塗布後は１３６１５０であり，アップしたことが分かった。
上記のことより，メモリの差込み部のモジューラジャックに，フッ素油６をコーティングした場合，回線速度がアップすることが確認できた。
【産業上の利用可能性】
【００３１】
この発明によるモジューラジャックは，電気的に接続する差込みコネクタを受け口コネクタに差し込んで導通させる各種の電気器具，例えば，ＬＡＮケーブル，マザーボード，ＣＰＵ，ビデオカード，ルータ，パソコン等に適用できる。
【図面の簡単な説明】
【００３２】
【図１】この発明によるモジューラジャックの基本原理を示す説明図である。
【図２】図１のモジューラジャックのＣ部分を示し，（Ａ）は本発明の原理を示す説明図であり，（Ｂ）は従来のモジューラジャックの原理を示す説明図である。
【図３】この発明によるモジューラジャックのコネクタ接触部にフッ素油を塗布するためのフリーマーカの第１実施例を示す断面図である。
【図４】図３のフリーマーカからキャップを取り外した状態を示す断面図である。
【図５】この発明によるモジューラジャックのコネクタ接触部にフッ素油を塗布するためのフリーマーカの第２実施例を示す断面図である。
【図６】この発明によるモジューラジャックのコネクタ接触部にフッ素油を塗布するためのフリーマーカの第３実施例を示す断面図である。
【図７】この発明によるモジューラジャックのコネクタ接触部にフッ素油を塗布するためのフリーマーカの第４実施例を示す断面図である。
【符号の説明】
【００３３】
１    差込みコネクタ
２    受け口コネクタ
３    コネクタ接触部
４    塗布面
５    フリーマーカ（塗布手段）
６    フッ素油
７    軸筒
８    ペン体
９    尾栓
１０  ホルダ
１１  キャップ
１２  グリップ部
１３  一端
１４  他端
１５  開口部
１６  カートリッジ
１７  毛筆タイプのペン先
１８  丸形先細タイプのペン先
１９  平形先細タイプのペン先
２０  コネクタ接触部近傍
２２，２６  ホルダ
２７  ホルダ部
【図１】
2006059564.tif 000003
【図２】
2006059564.tif 000004
【図３】
2006059564.tif 000005
【図４】
2006059564.tif 000006
【図５】
2006059564.tif 000007
【図６】
2006059564.tif 000008
【図７】
2006059564.tif 000009